(57)【要約】【課題】  平面板にその内側と外側のアールに沿って曲がる両側板が裏側で溶接されたアール笠木であるが、その表面に塗装が施されているにもかかわらず塗装の色むらの生じることのない着色アール笠木の製造方法を提供する。【解決手段】  アルミ金属板を素材としてそれにプレス加工を施すことにより、両側縁がアールに曲がる平面板を形成し、この平面板の両側縁に、その側縁に沿って曲がる押出形材からなる両側板を裏側で継ぎ溶接して逆チャンネル形に組み立てるアール笠木の製造方法において、平面板と両側板とに予め着色の塗装を施したものを使用することによって、前記溶接作業に臨むことを特徴とする。【選択図】    図１
2005307532.tif 000002
【特許請求の範囲】
【請求項１】
アルミ金属板を素材としてそれにプレス加工を施すことにより、両側縁がアールに曲がる平面板を形成し、この平面板の両側縁に、その側縁に沿って曲がる押出形材からなる両側板を裏側で継ぎ溶接して逆チャンネル形に組み立てるアール笠木の製造方法において、平面板と両側板とに予め着色の塗装を施したものを使用することによって、前記溶接作業に臨むことを特徴とする着色アール笠木の製造方法。
【請求項２】
両側板の上端に平面板の端が掛かる突条を形成し、突条と平面板の裏面との間に溶接を施すことを特徴とする請求項１記載の着色アール笠木の製造方法。
【発明の詳細な説明】
【技術分野】
【０００１】
この発明は、ベランダ等においてコンクリートの突縁に被着して使用される着色アール笠木の製造方法に関する。
【背景技術】
【０００２】
コンクリートの建物のベランダや屋上等においては、防水層の端部処理や転落防止等の目的でコンクリートで突縁が形成され、その上端にアルミ押出形材からなる笠木が被着され、それに手摺りが取り付けられる場合もある。普通には、突縁が直列であるので、笠木も押出形材のままの直列であるが、建物の設計から突縁がアール形状に曲がっているときには、押出形状のままでは使用できなく、そのアールに沿って曲がるよう組み立てられた特製のアール笠木が使用される。また、一般の笠木は、押出形材にアルマイト加工で着色されたものであるが、アール笠木である場合には、現場の事情によりアール笠木であるが故に、今までは後からの着色にならざるを得なかった。
【０００３】
なお、アール笠木は、アルミ押出形材を加熱するとともにアール型に沿って曲げ加工を施した曲げ物であることもあるが、曲げ加工が不能な程に幅広いときに組立て手段が用いられ、この場合は、幅方向に分けられる分割片を溶接して組み立てられる。
【０００４】
組立ての場合は、アルミ金属板をプレス成形した平面から見てアール形状の平面板を造り、これを基板として、アールの内側縁と外側縁とに沿ってそれぞれ曲がる弓形の両側板を裏側で溶接して、逆チャンネル形に組み立てられ、溶接後にスプレーガン等により表面に塗装を施していたが、目立たない裏側で溶接がなされる関係で、表側では継ぎ目に僅かでも隙間が生じているため、塗装の際に隙間に塗料が流れ込み、その部分が色濃くなることから見苦しく色むらが生じるという問題があった。
【発明の開示】
【発明が解決しようとする課題】
【０００５】
この発明は、上記のような実情に鑑みて、平面板にその内側と外側のアールに沿って曲がる両側板が裏側で溶接されたアール笠木であるが、その表面に塗装が施されているにもかかわらず塗装の色むらの生じることのない着色アール笠木の製造方法を提供することを目的とした。
【課題を解決するための手段】
【０００６】
上記の目的を達成するために、この発明は、アルミ金属板を素材としてそれにプレス加工を施すことにより、両側縁がアールに曲がる平面板を形成し、この平面板の両側縁に、その側縁に沿って曲がる押出形材からなる両側板を裏側で継ぎ溶接して逆チャンネル形に組み立てるアール笠木の製造方法において、平面板と両側板とに予め着色の塗装を施したものを使用することによって、前記溶接作業に臨むことを特徴とする着色アール笠木の製造方法を提供するものである。
【０００７】
着色アール笠木の製造方法を上記のように構成したから、溶接の時点では、平面板と両側板とに塗装が施され塗膜が安定して形成されているので、溶接後に塗装を施す必要はなく、したがって、溶接継ぎ目の隙間に塗料が流れ込み色むらが生じるという不都合がなくなる。
【０００８】
加えて、両側板の上端に平面板の端が掛かる突条を形成し、突条と平面板の裏面との間に溶接を施すと（請求項２）、溶接の際の位置決めが容易であると同時に、突条に溶接の熱が吸収されるので、表面の塗膜に焼けが入らないよう表側への熱の波及がそれだけ少なくなる。
【発明の効果】
【０００９】
以上説明したように、この発明によれば、平面板にその内側と外側のアールに沿って曲がる両側板が裏側で溶接された組立てによるアール笠木であるが、その表面に塗装が施されているにもかかわらず、その塗装が溶接による組立てに先立って予め施されているため、組立ての隙間に塗料が流れ込んで色むらが生じるという不都合がなくなり、体裁の良いきれいな着色アール笠木の製造方法を提供できるという優れた効果がある。また、単品に塗装を予め塗装を施すために、塗装の種類の選択が容易であり、溶接後の塗装作業が省略され、作業性が良くなるという利点もある。
【発明を実施するための最良の形態】
【００１０】
この発明は、横に分割された平面板と両側板とに予め塗装を施したものを溶接するが、この分割単品に対する塗装には、はけ塗り、ローラブラシ塗り、エアスプレー塗り、静電塗装等の塗装の方法を自由に選択しやすいが、エアスプレー塗りが特に容易である。いずれにしても、塗装の後の時間の経過により塗膜が固化して裏側の溶接にも焼きが入らない耐熱性が帯びることになる。しかし、焼きが入らない構造を採ることが望ましく（請求項２）、また、焼きが入らないよう注意して溶接する。したがって、塗料の種類については特に限定しないが、塗膜が熱可塑性を有するものは適当ではない。
【００１１】
塗料は、このように特に限定しないが、現在多用される合成樹脂を塗膜形成要素としたものを使用できる。この塗料用樹脂には、アルキド樹脂、フェノール樹脂、アミノ樹脂、アクリル樹脂、エポキシ樹脂、ポリウレタン樹脂、シリコーン樹脂、フッ素樹脂などが使用され、これらに着色に応じた顔料が混入される。そして、これらが有機溶剤や水で溶かしたものが使用される。このうち、シリコーン樹脂やフッ素樹脂の塗料が耐熱性に優れているので特に使用に適している。
【実施例】
【００１２】
図１ないし図４は一実施例を示したもので、その着色アール笠木Ｒは、ベランダ等のコンクリートの突縁１にそのアールに曲がる部分において被着するもので、一端に着色ストレート笠木Ｓが連結したものとして図示したが、単独の場合もある。なお、使用現場では、このストレート笠木Ｓに通常のアルミ押出形材からなる笠木が延長方向に接続される。図示は省略するが、これらの笠木の上に手摺りが設けられる場合もある。
【００１３】
アール笠木Ｒは、突縁１の上面を覆う平面板３と、その両側縁に溶接される側板５，５との組合せからなるもので、ストレート笠木Ｓは、これに対応して同じく平面板３ａと側板５ａ，５ａとの組合せからなっている。いずれも予め塗料が塗布されゴールドに着色されている。そして、まず、平面板３と平面板３ａとが、また、側板５，５と側板５ａ，５ａとがそれぞれ溶接により連結される。
【００１４】
平面板３は、アルミ板をアール形状に切り出したもので、中央部がやゝ高く台形に形成するために、中央部の裏面に左右一対のＶ溝７，７を形成し、Ｖ溝７，７で折り曲げられる。ストレート笠木Ｓについても同様である。この折り曲げ状態を保持するために、アール笠木Ｒの平面板３の両端部に当て板９，９が固定され、ストレート笠木Ｓの平面板３ａには一端に当て板９が固定される。各裏面の中央部には、使用現場で突縁１に固定するための金具受け材１１，１１が固定される。また、当て板９及び金具受け材１１の固定のために、平面板３，３ａの裏面にはスタッドボルト１３が突設され、それにナット１５を螺入して締め付けられる。
【００１５】
側板５，５ａは、アルミ押出形材からなり、側板５ではアールに曲げられる。そして、上端に平面板３，３ａの端が係る段突条１７が形成され、下端の内側にはタイト材を嵌着するためのポケット１９が形成される。
【００１６】
平面板３，３ａどうしを連結するために、裏面に継ぎ目に沿ってビード溶接２１が施される。また、側板５，５ａどうしを連結するために、裏面の上下に点溶接２２，２２が施される。なお、裏面に両平面板３，３ｂに当たる連結板を当てることにより上記ビード溶接２１を省略しても良い。
【００１７】
逆チャンネル形の組立てについては、平面板３，３ａに側板５，５，５ａ，５ａを連結するために、側板５，５ａの段突条１７と平面板３，３ａの端縁とにビード溶接２３が施され、その際の熱が段突条１７に吸収される分において熱の波及が外部に少なくなるので、これにより表面の塗膜に焼きが生じにくくなる。
【００１８】
また、平面板３，３ａと側板５，５，５ａ，５ａとが交差する内角にはコーキング材２５が充填されることにより雨水の侵入が防止される。図３は、コンクリートの突縁１にアール笠木Ｒを被着した状態を示したもので、突縁１に取り付けられた固定金具２７に金具受け材１１が掛止される。
【００１９】
図５ないし図８は他の実施例を示し、そのアール笠木Ｒは、同じくストレート笠木Ｓを連結したものであるが、平面板３，３ａが面一の板である。また、一側の側板５，５ａは、上端に平面板３，３ａが下に差し込まれる上部片２９を有する断面略Ｌ字形であって、上部片２９の下面に平面板３，３ａの端が突き当たる下面突条１８が形成され、下面突条１８と平面板３，３ａとの間にビード溶接２３が施されるが、下面突条１８に熱が吸収されるので表面への波及が少なくなる。
【００２０】
また、側板５，５ａは、前記の実施形態におけると同様に段突条１７が設けられるが、それを熱吸収しやすく断面において大きく矩形に形成し、段突条１７と平面板３，３ａの裏面との間にビード溶接２３が施される。
【００２１】
さらに、平面板３，３ａと両側板５，５、５ａ，５ａとの連結強度を増すために、ほゞ直角にアール曲げされる補強金属板３０，３０を用い、それを双方に接着される。また、両方の側板５，５，５ａ，５ａの下端には掛止条３２，３２を突設し、アール笠木Ｒとストレート笠木Ｓの据え付けにおいて、跨ぎ型の固定金具２７にその掛止条３２，３２を引っかけて突縁１に被着し、平面板３，３ａを固定金具２７に接着してある。３３がその接着部を示す。
【図面の簡単な説明】
【００２２】
【図１】この発明に係る着色アール笠木をストレート笠木と一体に示す裏面から見た分解斜視図である。
【図２】同着色アール笠木の断面図である。
【図３】同着色アール笠木の使用状態を示す断面図である。
【図４】図３のＡ部の拡大断面図である。
【図５】他の実施例による着色アール笠木をストレート笠木と一体に示す裏面から見た分解斜視図である。
【図６】同着色アール笠木の断面図である。
【図７】同着色アール笠木の使用状態を示す断面図である。
【図８】図７のＢ部の拡大断面図である。
【符号の説明】
【００２３】
Ｒ  着色アール笠木
３  平面板
５  側板
１７，１８  突条
２３  溶接
【図１】
2005307532.tif 000003
【図２】
2005307532.tif 000004
【図３】
2005307532.tif 000005
【図４】
2005307532.tif 000006
【図５】
2005307532.tif 000007
【図６】
2005307532.tif 000008
【図７】
2005307532.tif 000009
【図８】
2005307532.tif 000010